(57)【要約】【目的】 雪や氷の表面、グランドの土や芝生の表面その他の従来は着色デザイン画を施す対象物とは考えられていなかった各種素材の表面に対して、恒久的にではなく所望の期間だけ適切にカラーデザイン画を描くための着色材料およびその着色材料セット並びにそれらを使用したカラーデザイン画描出方法を提案するものである。【構成】 水溶性カラー材料４と発色性を向上する吸水性ポリマー２と水３とを混合することで得られる粘性着色材料１を、各種素材表面の任意のデザインによるカラーコーティング材料として利用する。【選択図】   図１
2007023140.tif 000002
【特許請求の範囲】
【請求項１】
水溶性カラー材料と発色性を向上する吸水性ポリマーと水とを混合することで得られる粘性着色材料を、各種素材表面の任意のデザインによるカラーコーティング材料として利用することを特徴とする吸水性ポリマーを使った発色性に優れた粘性着色材料。
【請求項２】
吸水性ポリマーの混合比率を調整することで、得られる粘性着色材料の粘度を制御することを特徴とする請求項１に記載の吸水性ポリマー材料を使った発色性に優れた粘性着色材料。
【請求項３】
水溶性カラー材料の混合量が重量比で水の１０分の１以下とされていることを特徴とする請求項１又は請求項２に記載の吸水性ポリマー材料を使った発色性に優れた粘性着色材料。
【請求項４】
水溶性の増粘剤や粘着剤を加えることで、得られる粘性着色材料の粘度を制御することを特徴とする請求項１〜請求項３の何れか1つに記載の吸水性ポリマー材料を使った発色性に優れた粘性着色材料。
【請求項５】
吸水性ポリマーや水溶性カラー材料として生分解性物質を使用することを特徴とする請求項１~請求項４の何れか1つに記載の吸水性ポリマー材料を使った発色性に優れた粘性着色材料。
【請求項６】
水溶性カラー材料としてシアン（青色）、マゼンダ（赤色）、イエロー（黄色）、ブラック（黒色）およびホワイト（白色）の基本色を一式として準備し、これらにより得られる粘性着色材料を適宜に選択・組合せることで、印刷技術上表現可能なあらゆる色彩が任意に得られるようにされたことを特徴とする請求項１〜請求項５の何れか1つに記載の吸水性ポリマー材料を使った発色性に優れた粘性着色材料セット。
【請求項７】
水溶性カラー材料としてシアン（青色）、マゼンダ（赤色）、イエロー（黄色）、ブラック（黒色）およびホワイト（白色）の基本色に加えて光沢色や金属色、蛍光色や発光色の何れか又は複数をも一式として準備することを特徴とする請求項６に記載の吸水性ポリマー材料を使った発色性に優れた粘性着色材料セット。
【請求項８】
所望の素材表面に対してカラーコーティングを施して所望のデザイン画を描出するために、使用する色彩毎にその領域を区切る区画手段を準備し、各区画手段を順次に所定位置に配置することで所望のデザイン画が完成できるようにした上で、該区画手段により区切られる領域毎に使用する所望の色彩を吸水性ポリマー材料を使った粘性着色材料によって調整準備し、所定位置に配置された区画手段で形成される領域毎に順次配色処理を繰り返すことで素材表面上のデザイン画に彩色を施すことを特徴とする請求項１~請求項７の何れか1つに記載の吸水性ポリマー材料を使った発色性に優れた粘性着色材料またはそのセットを利用した素材表面のカラーデザイン画描出方法。
【請求項９】
吸水性ポリマーを使った発色性に優れた粘性着色材料により所望の色彩を調整する手段として、水溶性カラー材料としてのシアン（青色）、マゼンダ（赤色）、イエロー（黄色）、ブラック（黒色）およびホワイト（白色）の基本色を組合わせて所定比率で混合するものとしたことを特徴とする請求項８に記載の素材表面のカラーデザイン画描出方法。
【請求項１０】
吸水性ポリマーを使った発色性に優れた粘性着色材料により所望の色彩を調整する手段として、該所望の色彩を基本色の画素密度を組合わせたものとして把握し、該把握内容に従って基本色の画素を並べることで実現するようにしたものであることを特徴とする請求項８に記載の素材表面のカラーデザイン画描出方法。
【発明の詳細な説明】
【技術分野】
【０００１】
本発明は、雪や氷の表面、グランドの土や芝生の表面その他の従来は着色デザイン画を施す対象物とは考えられていなかった各種素材の表面に対して、恒久的にではなく所望の期間だけ適切にカラーデザイン画を描くための着色材料およびその着色材料セット並びにそれらを使用したカラーデザイン画描出方法を提案するものである。
【背景技術】
【０００２】
主に屋外に置かれる広告板や建築物の壁面などに広告や装飾目的で適宜なカラーデザイン画を描く場合には、必要とする色彩のペンキを用意して直接的に描いたり紙面上に印刷されたカラーデザイン画を貼り付ける如き手段が採られている。
【０００３】
着色材料としてのペンキやインクは、屋外環境でも発色性や耐久性などに優れたものとなるように工夫されたものが採用されるように配慮している。
また、吸水性ポリマーと絵の具材とを利用した着色材料についても若干の提案はなされている。
【特許文献１】特許登録第２７８２３０９号公報
【発明の開示】
【発明が解決しようとする課題】
【０００４】
しかし、上記したような従来技術においては、適切に準備された屋外の広告板や建築物の壁面などであればカラーデザイン画を描いたり紙面上に印刷されたカラーデザイン画を貼り付けることが可能であるが、例えば、降り積もった雪の表面や氷の表面、土や芝生のグランド上などに適宜なカラーデザイン画を施すことはできなかった。
【０００５】
また、使用する着色材料としてのインクやペンキに関しても発色性や耐久性に優れたものが要求されることから自然環境にやさしい素材を使用するといった観点は殆んど重視されていない。さらに従来の着色材料によるカラーデザイン画は可能な限り長期間維持できるよう耐久性向上などを図ったものであり、せいぜい数ヶ月程度の期間だけ保存し、その後は環境に悪影響を残さずにきれいに後処理できるといったことに配慮したものはない。
特許文献１のものは、吸水性ポリマーに塗料を添加した粘土状の材料に関するもので、あくまでも流動性を持った本発明とは異なったものである。
【課題を解決するための手段】
【０００６】
本発明は上記したような従来技術における課題を解消すべく研究を重ねて創案されたものであり、吸水性ポリマー材料と水性色素材とを組合わせることで従来にない発色性に優れたカラー材料を得ることができ、これによって従前にはカラーデザイン画を施すことが到底できなかった氷面や雪面、グランドや芝生の上をも自由に利用することが可能となり、しかも所定期間経過後には簡単に除去して周辺環境にも悪影響を残さないように配慮したものであって、より具体的には以下の如くである。
【０００７】
（１） 水溶性カラー材料と発色性を向上する吸水性ポリマーと水とを混合することで得られる粘性着色材料を、各種素材表面の任意のデザインによるカラーコーティング材料として利用することを特徴とする吸水性ポリマーを使った発色性に優れた粘性着色材料。
【０００８】
（２）  吸水性ポリマーの混合比率を調整することで、得られる粘性着色材料の粘度を制御することを特徴とする前記（１）項に記載の吸水性ポリマー材料を使った発色性に優れた粘性着色材料。
【０００９】
（３） 水溶性カラー材料の混合量が重量比で水の１０分の１以下とされていることを特徴とする前記（１）項又は（２）項に記載の吸水性ポリマー材料を使った発色性に優れた粘性着色材料。
【００１０】
（４） 水溶性の増粘剤や粘着剤を加えることで、得られる粘性着色材料の粘度を制御することを特徴とする前記（１）項〜（３）項の何れか1つに記載の吸水性ポリマー材料を使った発色性に優れた粘性着色材料。
【００１１】
（５） 吸水性ポリマーや水溶性カラー材料として生分解性物質を使用することを特徴とする前記（１）項〜（４）項の何れか1つに記載の吸水性ポリマー材料を使った発色性に優れた粘性着色材料。
【００１２】
（６） 水溶性カラー材料としてシアン（青色）、マゼンダ（赤色）、イエロー（黄色）、ブラック（黒色）およびホワイト（白色）の基本色を一式として準備し、これらにより得られる粘性着色材料を適宜に選択・組合せることで、印刷技術上表現可能なあらゆる色彩が任意に得られるようにされたことを特徴とする前記（１）項〜（５）項の何れか1つに記載の吸水性ポリマー材料を使った発色性に優れた粘性着色材料セット。
【００１３】
（７）  水溶性カラー材料としてシアン（青色）、マゼンダ（赤色）、イエロー（黄色）、ブラック（黒色）およびホワイト（白色）の基本色に加えて光沢色や金属色、蛍光色や発光色の何れか又は複数をも一式として準備することを特徴とする前記（６）項に記載の吸水性ポリマー材料を使った発色性に優れた粘性着色材料セット。
【００１４】
（８）  所望の素材表面に対してカラーコーティングを施して所望のデザイン画を描出するために、使用する色彩毎にその領域を区切る区画手段を準備し、各区画手段を順次に所定位置に配置することで所望のデザイン画が完成できるようにした上で、該区画手段により区切られる領域毎に使用する所望の色彩を吸水性ポリマー材料を使った粘性着色材料によって調整準備し、所定位置に配置された区画手段で形成される領域毎に順次配色処理を繰り返すことで素材表面上のデザイン画に彩色を施すことを特徴とする前記（１）項~（７）項の何れか1つに記載の吸水性ポリマー材料を使った発色性に優れた粘性着色材料またはそのセットを利用した素材表面のカラーデザイン画描出方法。
【００１５】
（９）  吸水性ポリマーを使った発色性に優れた粘性着色材料により所望の色彩を調整する手段として、水溶性カラー材料としてのシアン（青色）、マゼンダ（赤色）、イエロー（黄色）、ブラック（黒色）およびホワイト（白色）の基本色を組合わせて所定比率で混合するものとしたことを特徴とする前記（８）項に記載の素材表面のカラーデザイン画描出方法。
【００１６】
（１０）  吸水性ポリマーを使った発色性に優れた粘性着色材料により所望の色彩を調整する手段として、該所望の色彩を基本色の画素密度を組合わせたものとして把握し、該把握内容に従って基本色の画素を並べることで実現するようにしたものであることを特徴とする前記（８）項に記載の素材表面のカラーデザイン画描出方法。
【発明の効果】
【００１７】
水溶性カラー材料と発色性を向上する吸水性ポリマーと水とを混合することで得られる粘性着色材料を、各種素材表面の任意のデザインによるカラーコーティング材料として利用することにより、カラー材料を混合して所望の色彩をつくりそれと吸水性ポリマーをも混ぜ合わせることで親水性であり且つ保水力・適度な粘着性を持ち、かつ、色彩をより鮮やかに発色させることができるようになり、しかも対象に対する浸透性の少ないカラーコーティング材料を得ることができるようになる。
なお、ここでの吸水性ポリマーとしては粉末状の物質であり水を加えることで通常１００倍から１０００倍以上に体積増加する能力を持つものとして市販されているものが採用可能である。
このようなカラーコーティング材料は対象素材表面上に置かれるような形で固定されるもので、吸水性ポリマーの保水性能が十分に発揮される期間（数ヶ月程度）は鮮やかな色彩が維持される。また、これを除去する場合には素材表面上から簡単に剥がすことができ、その跡に色が残ることも殆んどない。
【００１８】
吸水性ポリマーの混合比率を調整することで、得られる粘性着色材料の粘度を制御することで、対象に対するカラーコーティング材料の着き具合を調整し、耐久性や色の厚み具合をコントロールすることが可能となる。つまり、吸水性ポリマー量を多くして粘性の高いカラーコーティング材料とすると対象に対する厚塗りが容易になり色彩も濃いものとなると共により保水性が高くなり耐久性に優れたものとなるのである。
【００１９】
水溶性カラー材料の混合量が重量比で水の１０分の１以下とされていることで、比較的少量の水溶性カラー材料から大量の着色材料を得ることが可能となる。すなわち、本発明の着色材料は吸水性ポリマーと一体化した状態となり、親水性粘着材料中にムラ無く一様に広がり、優れた発色性を示すことになる。したがって、比較的少量の水溶性カラー材料であっても素材に対して十分な発色性を持ったもの大量に入手することができるのである。
【００２０】
水溶性の増粘剤や粘着剤を加えることで、得られる粘性着色材料の粘度を制御することにより、混合する吸水性ポリマーの量のみでは不足する粘度調整を自由に行い素材対象物に対する付着性を望みどおりにコントロールすることができるようになる。
【００２１】
吸水性ポリマーや水溶性カラー材料として生分解性物質を使用することにより、氷雪面やグランド、芝生といった自然的景観を素材対象物として本発明着色材料を使用する場合であっても、自然環境に悪影響を及ぼすことなく後処理等することが可能となる。
【００２２】
水溶性カラー材料としてシアン（青色）、マゼンダ（赤色）、イエロー（黄色）、ブラック（黒色）およびホワイト（白色）の基本色を一式として準備し、これらにより得られる粘性着色材料を適宜に選択・組合せることで、印刷技術上表現可能なあらゆる色彩が任意に得られるようにされたことで、これらの基本色材料を既知の配合割合で混ぜ合わせるだけで望みどおりの色彩を持った本発明着色材料を得ることができる着色材料セットが実現されるようになる。
【００２３】
水溶性カラー材料としてシアン（青色）、マゼンダ（赤色）、イエロー（黄色）、ブラック（黒色）およびホワイト（白色）の基本色に加えて光沢色や金属色、蛍光色や発光色の何れか又は複数をも一式として準備することで、さらに変化に富んだ色彩表現が可能な本発明による着色材料セットを得ることができる。
【００２４】
所望の素材表面に対してカラーコーティングを施して所望のデザイン画を描出するために、使用する色彩毎にその領域を区切る区画手段を準備し、各区画手段を順次に所定位置に配置することで所望のデザイン画が完成できるようにした上で、該区画手段により区切られる領域毎に使用する所望の色彩を吸水性ポリマー材料を使った粘性着色材料によって調整準備し、所定位置に配置された区画手段で形成される領域毎に順次配色処理を繰り返すことで素材表面上のデザイン画に彩色を施すことにより、描出しようとするデザイン画を色彩毎に区分けして順次に彩色し完成することができる。
この手法は野外の氷雪面やグランド上、芝生上などに本発明を利用してカラーデザイン画を描出しようとする際にも予め領域毎の区画を準備しておくことで応用でき、印刷機などでは描ききれない大きなサイズの画面でも自在に描くことができるようになるものである。
【００２５】
吸水性ポリマーを使った粘性着色材料により所望の色彩を調整する手段として、水溶性カラー材料としてのシアン（青色）、マゼンダ（赤色）、イエロー（黄色）、ブラック（黒色）および白色の基本色を組合わせて所定比率で混合するものとしたことにより、僅かな数の基本色を準備し既知の割合で混合するだけで印刷技術上可能なあらゆる色彩を得ることができ、色彩性に富んだカラーデザイン画を自由に描くことができるようになる。
【００２６】
吸水性ポリマーを使った粘性着色材料により所望の色彩を調整する手段として、該所望の色彩を基本色の画素密度を組合わせたものとして把握し、該把握内容に従って基本色の画素を並べることで実現するようにしたことにより、必要とする色彩を、着色材料を混合するのではなく基本色毎の画素比率の組合せとして処理するだけで得ることができる。
つまり、カタログ化されている色彩の場合にはそれを得るために基本色の画素をどの程度の比率（密度）で準備すべきかは既に分かっており、また、新たな色彩についてもそれをスキャナーなどで分析することで基本色比率の組合せを得ることができるのである。
このように基本色の画素比率の組合せによって色彩表現する手法はカラープリンタなどの印刷技術で実際に採用されているものであり、したがって、基本色画素をどの程度の比率で組合わせるとどのような色彩が得られるかといったデータは利用可能なものとして既に存在している。
【００２７】
また、対象素材面上に所望の色彩を着色する手法としては望ましい仕上げ状態ができるものであればどのような手法を採用しても構わないが、所望の色彩を基本色色素の混合により得るにしろ、画素比率の組合せによって得るにしろ、スプレー式の吹付け手法を採用することが仕上げ状態を良好とする上では望ましいものと考えられる。
【発明を実施するための最良の形態】
【００２８】
上記してきたような本発明の具体的な実施形態の若干例を、添付図面等を利用しながら以下において説明する。
まず、本発明の粘性着色材料１の合成方法についてであるが、図１に示すように、吸水性ポリマー２と水３と水溶性カラー材料４とを適当な比率で混合することにより得られるものである。
【００２９】
ここで、用いる水溶性カラー材料４の本来の色彩を着色対象物上において実現するために相応しいそれぞれの混合比率を発明者は実験により求めた。
すなわち、種々の条件設定により変動はするが、一般的には各重量比率として水３を１００に対して吸水性ポリマー２を３０〜５０、水溶性カラー材料４を５〜１０としてこれらをよく混合することで所望の粘性着色材料１が得られることが見出された。
【００３０】
仮に水と水溶性カラー材料のみから同等の色彩を実現する材料を得ようとする場合にはどうしても水１００に対して水溶性カラー材料を１０以上、通常は２０〜３０以上混合しないと所望の色彩は得られない。したがって、吸水性ポリマー２による粘性付与および発色性向上という効果によって、従来より遥かに少ない量の水溶性カラー材料４であっても十分な発色性を着色対象物表面上で実現できることが理解された。
【００３１】
本発明の粘性着色材料１によりカラーデザイン画を施す着色対象物は、通常は平坦なグランドや芝生の表面、スキー場などの積雪面上やスケートリンクの氷面上などを想定しているものである。したがって、略平坦な略水平状の着色対象物となるので粘性着色材料１の実際の粘性は、グランドや芝生、雪面などに染み込んで行かない程度のものであれば足りる。
また、吸水性ポリマー２の保水作用によって少なくとも数週間程度はみずみずしい発色性を維持することも可能である（本発明の着色材料は、通常の水性着色材料のように乾燥によって対象物表面に固着されるというものではない）。
【００３２】
しかし、急斜面上や略垂直に切り立った壁面状の着色対象物表面にカラーデザイン画を施そうとする場合には、このような表面上であっても重力によって流れ落ちたりし難いようにその粘性を高めておく必要がある。このような粘性を調整するために上記したように吸水性ポリマー２の比率を高めたり、各種の増粘剤や粘着剤を追加して急斜面や壁面等に対しても望み通りにデザイン画を施すことができるようになるのである。
【００３３】
また、このような略垂直状の対象物表面に本発明の粘性着色材料１を利用して所望のカラーデザイン画を描出する手法としては、所定サイズの平坦ボード上にデザイン画を描き、それを展示したい場所に立てかけるということも可能である。もちろん、この場合には略垂直状に立てかけるものであることを想定して、粘性着色材料１の粘度をそれに相応した程度に高めておく必要がある。
【実施例】
【００３４】
本発明によるカラーデザイン画の描出手法のより具体的な実施例を以下において説明する。
図２は、カラーデザイン画としての日の丸模様５を数メートル四方或いは数十メートル四方といったサイズで屋外のグランド上や芝生上、雪山斜面の雪面上などに描く場合の手順に関して模式図的に説明しているものである。
【００３５】
すなわち、日の丸模様５を描く場合には背景のホワイト部分と中心に円形で描くマゼンダ部分に区分けされ、その区画分けに従ってそれぞれの色彩の粘性着色材１を置いていくことで所望箇所に所望サイズでカラーデザイン画を完成するものである。
数メートル四方以上の大きなサイズで描く場合には、例えば、図示のように基本色毎の粘性着色材１や混合して作成した実際に使用する色彩とされた粘性着色材１を積み込んだ台車６の如きを準備し、これを順に移動させながら所定の区画内を所定の色彩で埋めていくことで想定したカラーデザイン画を完成することが可能である。
【００３６】
このような手法によって、例示的に図示するように雪山の雪面上や広場やゴルフ場などの芝生面上、山の斜面上や校庭などのグランド上であっても鮮やかな色彩を持ったカラーデザイン画を自由に描くことが可能となるものである。
【００３７】
図３は、区画手段７として、使用する色彩に応じた形状を切り抜いたボード材などを用いて順番に描くことで所望のカラーデザイン画を完成させる場合について説明した図面である。
ある区画部分において所望の色彩を描く手法としては、図示説明するように複数の基本色の組合せを順番に該区画部分において施すことで最終的に所望色彩を実現するというやり方も可能である。
【００３８】
また、具体的な着色材料１の区画部分への置き方としては、スプレー機８を使った噴霧方式で可能な場合はこれによるのが色ムラの発生などが少ないので望ましいが、非常に大きなサイズに実施したり、地形的に困難性があるような場合には、図示の如くにヘリコプターなどを利用した空中散布により所定区画に所望色彩を施すような手段が考えられるものである。
【００３９】
図４は、表現しようとする色彩を複数の基本色の画素密度を組合わせたものとして描く場合の実際を説明する図面となっている。
すなわち、シアン（青色）、マゼンダ（赤色）、イエロー（黄色）、ブラック（黒色）を所定の画素密度として置くことで１６７７万色のフルカラー表現が可能であることは印刷技術上公知の事実である。
【００４０】
本発明においても、図示のように表現しようとする色彩に従った画素密度の組合せとなるように基本色の画素を所定区画内に置くことで、一定の距離を離して眺めると所望の色彩表現が実現するものとなすことが可能なのである。
このような基本色の画素密度として表現する場合には、実際に粘性着色材１を混ぜ合わせる必要がなく、既存の色彩データベース資料に従うだけで印刷技術上のフルカラー表現を実現することが可能である。
【００４１】
また、このような画素表現を用いる場合にはスプレー機械８を用いた噴霧方式よりも前記した台車６などを利用したピンポイントの着色が可能な手法の方が望ましいものと理解される。
【００４２】
以上説明してきたような本発明の粘性着色材１を用いた屋外におけるカラーデザイン画の描出に関しては、原材料である水３、吸水性ポリマー２、水溶性カラー材料４の何れについても自然物質に基づいた生分解性材料として準備することができ、また、そもそも本発明の粘性着色材１は保水性に優れた粘着流動物質として各種素材表面上に貼り付けられた状態になっているものと解釈できる。
したがって、所定の期間経過後に原状回復を図る場合にも単に引き剥がすような作業のみで簡単に元通りに戻すことができ、周囲環境に悪影響を残すようなことが無いものとして自然環境中などにおいても安心して使用することができるのである。
【産業上の利用可能性】
【００４３】
上記のような本発明によれば、従来にない粘性流動体として着色材料を得ることができ、その特性に従って今まではカラーデザイン画を描く対象物とは考えられていなかった屋外のグランド上や芝生面上、雪面上や氷面上などにおいても所望の彩色画が描けるようになるものである。
【００４４】
つまり、これらの対象物表面を絵画や標識、広告などの表示対象物として利用することができることになり、しかも原状回復が容易で環境への悪影響も無いものとして実現することができる。
したがって、今までは存在しなかった新しい表現手段と表現場所を提案することになるので、多くの新しい需要を喚起するものとして産業上の利用可能性において優れた発明であると理解されるべきである。
【図面の簡単な説明】
【００４５】
【図１】本発明の粘性着色材の合成方法を示す説明図である。
【図２】本発明によるカラーデザイン画の描出手法に関する模式図である。
【図３】区画手段として形状を切り抜いたボード材を用いる場合を示した説明図である。
【図４】基本色の画素密度の組合せとして所望色彩を得る手法を示した説明図である。
【符号の説明】
【００４６】
１  粘性着色材料
２  吸水性ポリマー
３  水
４  水溶性カラー材料
５  カラーデザイン画としての日の丸模様
６  台車
７  区画手段（切り抜きボード材）
８  スプレー機械
【図１】
2007023140.tif 000003
【図２】
2007023140.tif 000004
【図３】
2007023140.tif 000005
【図４】
2007023140.tif 000006